(57)【特許請求の範囲】
【請求項１】
内部にボルトが螺合せずに挿通可能なボルト挿通孔を有する略円環状をしボルトへの押込み方向と反対を向く後面が前記ボルトに螺合するナットに当接する平坦面となるフランジ部と、フランジ部より連設される弾性係合片とからなり、前記弾性係合片は、フランジ部の内端縁から前方に向けて連設されると共に、先端近傍がボルト挿通孔の中央部側へ行く程ボルトへの押込み方向と反対の後方に位置するように傾斜して、その先端が、ボルトへの押込み方向を向くフランジ部の前面側かフランジ部と略同一平面上に位置し、フランジ部の前面に防振部材を設けて成ることを特徴とするプッシュナット。
【発明の詳細な説明】
【技術分野】
【０００１】
本発明は、プッシュナットに関し、更に詳しくは、浴室暖房乾燥機を浴室天井から吊下げてある吊下げボルトに仮固定するためのプッシュナットに関するものである。
【背景技術】
【０００２】
従来より、例えば浴室暖房乾燥機を浴室天井に設置するにあたって、浴室天井裏に吊下げてある吊下げボルトを浴室暖房乾燥機の本体ケーシングの四隅のボルト挿通孔に挿通させて、浴室天井に形成した取付け開口に配置し、吊下げボルトに下方よりナットを螺合して締結することで、吊下げボルトにて本体ケーシングの荷重を支持する方法が採られている（例えば特許文献１参照）。この際、４本の吊下げボルトを本体ケーシングの四隅のボルト挿通孔にそれぞれ挿通させた後、対角の２本の吊下げボルトにナットを螺合させて本体ケーシングを仮固定するが、仮固定するまで、本体ケーシングの落下や傾きを防止するため、本体ケーシングを下方より支持した状態で吊下げボルトにナットを螺合して締結しなければならず、作業性が悪いため、作業者が一人で施工を行ういわゆる一人施工が困難なものであった。
【０００３】
そこで、ナットを吊下げボルトに螺合する作業を簡素化するため、ナットの代わりにプッシュナットを用いる方法が考えられる。プッシュナットは、例えば特許文献２に示されるように、円形のプッシュバネ材の外周端縁に一定幅のフランジ部が形成されると共に中心にプッシュ穴（ボルト挿通孔）が形成され、プッシュ穴の周りに切り込みが複数ヶ所それぞれ放射状に形成されており、切り込み間を若干起こして複数の放射状の羽板（弾性係合片）が形成されている。フランジ部内の中心穴（ここでは複数の放射状の切り込みの外端を結ぶ円内であって、羽板の切り起こし基端部の内側に形成される開口をいう）は、挿通される吊下げボルトの軸径よりも若干大きめに形成してある。
【０００４】
そして、プッシュナットのプッシュ穴に吊下げボルトを挿通させてプッシュナットを軸方向に押込むことで、羽板が押込み方向と反対側に変形してその先端が吊下げボルトの山間に引っ掛かって、プッシュナットが吊下げボルトに係合されるものである。これにより、ナットを吊下げボルトに螺合させて回転させる手間が省け、作業性が向上するものである。
【特許文献１】特開２００３−５６１９２号公報
【特許文献２】特許第３８１２０００号公報
【発明の開示】
【発明が解決しようとする課題】
【０００５】
このようなプッシュナットを例えば上記浴室暖房乾燥機の本体ケーシングの浴室天井への固定に用いることで、作業性が改善されて一人施工が可能となるものの、プッシュナットで本体ケーシングを支持し続けるのは信頼性の面で不安がある。そこで、図６に示すように、プッシュナット１を仮固定に用いた後、本支持用のナット８で従来と同様に締結することで、ボルトナットの締結により高い信頼性が得られるものである。
【０００６】
しかしながら、この場合、吊下げボルト６の下端部より本支持用のナット８を螺合してプッシュナット１の下端部に当接することとなるが、プッシュナット１は羽板３’の先端部が押込み方向と反対方向の吊下げボルト６下端（すなわち本支持用のナット８）側を向いており、本支持用のナット８が羽板３’の先端部と干渉して羽板３’が変形して、プッシュナット１の下面の広範囲に本支持用のナット８が当接して安定的にプッシュナット１を支持することができないため、浴室暖房乾燥機４の本体ケーシング４１が固定位置からずれてしまったりする、という問題があるものであった。
【０００７】
本発明は上記従来の問題点に鑑みて発明したものであって、その目的とするところは、ボルトの先端からプッシュナットを押込んだ後でボルトの先端から本支持用のナットを螺合する場合でも、プッシュナットの弾性係合片と本支持用のナットとの干渉を避けることのできるプッシュナットを提供することを課題とするものである。
【課題を解決するための手段】
【０００８】
上記課題を解決するために請求項１に係る発明は、内部にボルト（吊下げボルト６）が螺合せずに挿通可能なボルト挿通孔２０を有する略円環状をしボルトへの押込み方向と反対を向く後面２２が前記ボルトに螺合するナット（本支持用のナット８１）に当接する平坦面となるフランジ部２と、フランジ部２より連設される弾性係合片３とからなり、前記弾性係合片３は、フランジ部２の内端縁２ａから前方に向けて連設されると共に、先端近傍３２がボルト挿通孔２０の中央部側へ行く程ボルトへの押込み方向と反対の後方に位置するように傾斜して、その先端３２ａがボルトへの押込み方向を向くフランジ部２の前面２１側かフランジ部２と略同一平面上に位置し、フランジ部２の前面２１に防振部材７を設けて成ることを特徴とするものである。
【０００９】
このような構成とすることで、プッシュナット１の弾性係合片３が本支持用のナット８１と反対側に位置して、プッシュナット１の弾性係合片３と本支持用のナット８１とが干渉するのを防止することができ、これにあたり、簡単な構成でプッシュナット１を形成することができて、製造が容易となるものである。また、防振部材７を設けたプッシュナット１を吊下げボルト６の下端部から被嵌する一工程の作業だけで、防振部材７とプッシュナット１とを吊下げボルト６に配置することができ、さらに、プッシュナット１の端面に広範囲に本支持用のナット８１を当接させることができるため、作業性が向上して一人施工が可能となると共に高い信頼性が得られるものである。
【発明の効果】
【００１４】
本発明のプッシュナットにあっては、ボルトの先端からプッシュナットを押込んだ後でボルトの先端からナットを螺合する場合でも、プッシュナットの弾性係合片と本支持用のナットとの干渉を避けて、プッシュナットの端面に広範囲にナットを当接させることができて、作業性が向上して一人施工が可能となると共に高い信頼性が得られるものである。
【発明を実施するための最良の形態】
【００１５】
以下、本発明の一実施形態について添付図面に基づいて説明する。
【００１６】
プッシュナット１は、図１に示すように、略円環状をしたフランジ部２と、フランジ部２より連設される弾性係合片３と、で主体が構成される。フランジ部２は、平面視略円環状をした板状の部材で、内部の孔がボルトが挿通されるボルト挿通孔２０となっている。このフランジ部２は、前記ボルト挿通孔２０をボルトの先端から被嵌させていくもので、一方の面が図１中の矢印に示すボルトへの押込み方向（ボルトの基端側の方向で、以下、前方とする）を向く前面２１となり、他方の面がボルトの押込み方向と反対方向（ボルトの先端側の方向で、以下、後方とする）を向く後面２２となり、少なくとも後面２２は平坦面となっている。なお「押込む」とは、本発明においてはフランジ部２を回転させずにフランジ部２の面に垂直な方向に移動させることをいうものとする。
【００１７】
フランジ部２より連設される弾性係合片３は、フランジ部２の前面２１から、あるいはフランジ部２の内端縁２ａ又は外端縁２ｂ（本実施形態では内端縁２ａ）から、弾性係合片３の基端部３１が前方に連設されるもので、本実施形態ではフランジ部２の内端縁２ａの複数箇所（周方向に等間隔をあけた８箇所）から前方に向けてそれぞれ連設されている。そして、弾性係合片３の途中から内側すなわちフランジ部２のボルト挿通孔２０の中心側に向けて曲がり、弾性係合片３の先端近傍３２は、ボルト挿通孔２０の中心側へ行くに従って後方に位置するように傾斜し、先端３２ａは平面視においてボルト挿通孔２０内で且つ、前後方向においてはフランジ部２と略同一平面上かフランジ部２よりも前方に位置している。複数の弾性係合片３の先端３２ａは、平面視で略同一円周上に配置されるが、前記円の径は吊下げボルト６の軸径よりも小さくなっている。
【００１８】
本実施形態のプッシュナット１はフランジ部２の内端縁２ａから弾性係合片３を連設しているため、板状の金属材料から単純なプレス工程（例えば打ち抜きフォーミング等）により容易に製造することができ、材料もフランジ部２の外周部の内側のみを打ち抜くだけでよく、製造上の利点が多い。すなわち、フランジ部２の外端縁２ｂで折り返して弾性係合片３を形成すると、フランジ部２の外周部外に弾性係合片３となる部材を連続させた状態で金属板から打ち抜き、その後で折り返して成形する工程が必要となり、工数が増加すると共に同面積の金属板から製造できる個数が少なくなってしまい、これらの点で劣っている。
【００１９】
以下、図２に基づいて上記プッシュナット１を用いて浴室暖房乾燥機４を浴室天井５に取り付ける場合について説明する。
【００２０】
浴室暖房乾燥機４は、外殻となる略矩形箱状をした本体ケーシング４１内に機器が収容されて主体が構成され、この本体ケーシング４１が浴室天井５に固定されると共に、送風のためのダクトや電気配線を浴室天井５裏等に這わせて設置する。
【００２１】
浴室天井５には、浴室暖房乾燥機４の本体ケーシング４１が配置される平面視略矩形状をした取付け開口５０が形成してあり、取付け開口５０に下方より本体ケーシング４１を収容して、本体ケーシング４１の下面を浴室天井５と略面一となるように固定する。浴室天井５裏の空間には、建物躯体等の構造物から取付け開口５０に向けて吊下げボルト６が吊下げてあり、この吊下げボルト６に浴室暖房乾燥機４の本体ケーシング４１を固定する。本体ケーシング４１には、四つの角部の下端縁に内側に向けて内フランジ４２が形成してあり、内フランジ４２の四つの角部にボルト挿通孔４３が穿設してある。上記吊下げボルト６は、平面視において四つのボルト挿通孔４３に対応する位置となる取付け開口５０の四隅にそれぞれ吊下げてある。
【００２２】
吊下げボルト６への本体ケーシング４１の固定は、作業者が本体ケーシング４１を下方より上方に持ち上げて、本体ケーシング４１の四つのボルト挿通孔４３にそれぞれ吊下げボルト６の下端部を挿通させ、本体ケーシング４１の下端部を浴室天井５と略面一となるように配置する。そして、中央部に吊下げボルト６が挿通する挿通孔７０を有するゴム製の防振部材７を吊下げボルト６の下端部から被嵌して、本体ケーシング４１の内フランジ４２に当接させると共に、防振部材７の下側からプッシュナット１を吊下げボルト６の下端部から被嵌する。防振部材７は、本体ケーシング４１で発生する振動が伝播するのを防止するものである。プッシュナット１は、上述した前面２１側を押込み方向として、フランジ部２のボルト挿通孔２０に吊下げボルト６の下端部を挿通させて、上方に向けて押込んでいくものである。
【００２３】
プッシュナット１の複数の弾性係合片３の先端３２ａは、上述したように平面視で吊下げボルト６の軸径よりも小径の略同一円周上に配置されているため、プッシュナット１に吊下げボルト６を挿通させて押込む際に、弾性係合片３の先端３２ａは吊下げボルト６の外面に当接して押込み方向と反対側（すなわち後方）に曲がって変形するが、弾性係合片３の先端近傍３２は、もともと上述したように先端３２ａ側へ行く程後方に位置するように傾斜しているため、傾斜の程度が大きくなるように変形するだけで、スムーズに変形するものである。そして、弾性係合片３の先端３２ａは吊下げボルト６の雄ねじの山間に入り込んで係合された状態となり、更に押込むと前方に隣接する山によって弾性係合片３の先端３２ａが外側に曲がる方向に変形して、前方に隣接する山間に移動して再び係合された状態となり、押込みによって任意の山間に係合させることができる。係合した状態では、更に押込み方向に押込むことはできるが、押込み方向と反対方向（後方）へ移動させようとすると、弾性係合片３の先端近傍３２は後方に向けて傾斜して吊下げボルト６の山間に係合しているため、先端３２ａは後側の山から弾性係合片３の長手方向に圧縮力が掛かるのみで容易に変形する曲げ方向への力が掛からず、後方への移動は規制されるものである。
【００２４】
なお、プッシュナット１を後方（すなわち押込み方向と反対方向）へ移動させる場合には、一般のナットを後退させるのと同じ要領でフランジ部２を回転させる「回し戻し」を行なえばよい。また、複数の弾性係合片３の先端３２ａが吊下げボルト６を周囲から弾圧しているため、自然に回転したり容易に回転してしまったりすることはなく、従って、破壊される程の過大な力が掛からない限り、吊下げボルト６に係合しているプッシュナット１が意に反して後方に移動してしまうことはないものである。
【００２５】
プッシュナット１を吊下げボルト６に押込んで所望の位置に係合させることで、防振部材７を介して本体ケーシング４１を支持することができる。プッシュナット１は、四つの吊下げボルト６のうち少なくとも対角の二つの吊下げボルト６に押込めばよく、全ての吊下げボルト６に押込めば尚良いものである。このようにプッシュナット１で本体ケーシング４１を支持させることで仮固定が行われ、作業者が自ら本体ケーシング４１を支持しなくても本体ケーシング４１が落下したりバランスを崩して落下しかかったりすることがなく、作業者は本体ケーシング４１の支持から解放される。
【００２６】
次に、本支持用のナット８１を吊下げボルト６の下端部から螺合させて、プッシュナット１（プッシュナット１がない吊下げボルト６では防振部材７）の下面（後面２２）に当接させ、本体ケーシング４１の荷重を本支持用のナット８１で支持する。
【００２７】
そして、本体ケーシング４１の下面を水平にして浴室天井５と略面一状にするため、各吊下げボルト６の本支持用のナット８１及びプッシュナット１の上下位置の微調整を行うが、プッシュナット１の後方への移動は上述した回し戻しにより行う。また、プッシュナット１の前方への微小な移動もフランジ部２を回転させて螺進させることで可能となる。
【００２８】
本支持用のナット８１の位置が決まると、緩み防止用のナット８２を吊下げボルト６の下端部から螺合させて本支持用のナット８１と締結し、ダブルナットにして本支持用のナット８１をロックすることで、固定が完了する。
【００２９】
以上のような構成のプッシュナット１とすることで、プッシュナット１を押込んだ後で本支持用のナット８１を螺合しても、プッシュナット１の弾性係合片３が本支持用のナット８１と反対側に位置して、プッシュナット１の弾性係合片３と本支持用のナット８１との干渉を避けることができて、プッシュナット１の端面に広範囲に本支持用のナット８１を当接させることができ、作業性が向上して一人施工が可能となると共に高い信頼性が得られるものである。
【００３０】
次に、他の実施形態について図３乃至図５に基づいて説明する。なお、本実施形態においても大部分は図１、図２に示す上記実施形態と同じであるため、同じ部分については同符号を付して説明を省略し、主に異なる部分について説明する。
【００３１】
本実施形態では、図３、図４に示すように防振部材７とプッシュナット１を結合して一つの部材としたもので、プッシュナット１のフランジ部２の前面２１に防振部材７を設けて構成してある。
【００３２】
プッシュナット１自体は、図１、図２に示す実施形態のプッシュナット１と同じである。また防振部材７も略同じで、中央部に吊下げボルト６が挿通する挿通孔７０を有するゴム製であるが、下面にプッシュナット１のフランジ部２を収容する凹部を設けてある点で異なっている。そして、この凹部内にプッシュナット１のフランジ部２を圧入又は接着等により収容して一体に結合して、防振部材７付きプッシュナット１を形成している。
【００３３】
この防振部材７付きプッシュナット１を用いて浴室暖房乾燥機４を浴室天井５に取り付ける場合について図５に示すが、図２に示す上記実施形態の場合と大部分において同じである。異なるのは、作業者が本体ケーシング４１の四つのボルト挿通孔４３にそれぞれ吊下げボルト６の下端部を挿通させ、本体ケーシング４１の下端部を浴室天井５と略面一となるように配置した後、防振部材７付きプッシュナット１を吊下げボルト６の下端部から被嵌して、本体ケーシング４１の内フランジ４２に当接させる点であり、防振部材７付きプッシュナット１の防振部材７の挿通孔７０および防振部材７付きプッシュナット１のボルト挿通孔２０に吊下げボルト６の下端部を挿通させるものである。
【００３４】
これにより、上記実施形態においては、防振部材７を吊下げボルト６の下端部から被嵌した後、プッシュナット１を吊下げボルト６の下端部から被嵌していた二工程の作業が、本実施形態では、防振部材７付きプッシュナット１を吊下げボルト６の下端部から被嵌するだけの一工程の作業となり、作業性が向上するものである。
【図面の簡単な説明】
【００３５】
【図１】本発明の一実施形態のプッシュナットを示し、（ａ）は平面図であり、（ｂ）は側面図であり、（ｃ）は下面図であり、（ｄ）は（ｂ）のＡ−Ａ断面図である。
【図２】同上のプッシュナットを用いた浴室暖房乾燥機の浴室天井への取り付けを説明する分解斜視図である。
【図３】本発明の他の実施形態の防振部材付きプッシュナットを示し、（ａ）は平面図であり、（ｂ）は側面図であり、（ｃ）は下面図である。
【図４】同上の防振部材付きプッシュナットを示し、（ａ）は斜め下方より見た斜視図であり、（ｂ）は斜め下方より見た分解斜視図である。
【図５】同上の防振部材付きプッシュナットを用いた浴室暖房乾燥機の浴室天井への取り付けを説明する分解斜視図である。
【図６】従来の浴室暖房乾燥機の浴室天井への取り付けを説明する要部の側面図である。
【符号の説明】
【００３６】
５    浴室天井
５０  取付け開口
６    吊下げボルト
７    防振部材
７０  挿通孔
８１  本支持用のナット
８２  緩み防止用のナット
４    浴室暖房乾燥機
４１  本体ケーシング
４２  内フランジ
４３  ボルト挿通孔
１    プッシュナット
２    フランジ部
２１  前面
２２  後面
２０  ボルト挿通孔
２ａ  内端縁
２ｂ  外端縁
３    弾性係合片
３１  基端部
３２  先端近傍
３２ａ  先端
【図１】
0005022211.tif 000002
【図２】
0005022211.tif 000003
【図３】
0005022211.tif 000004
【図４】
0005022211.tif 000005
【図５】
0005022211.tif 000006
【図６】
0005022211.tif 000007